(57)【要約】【課題】空間への電界の放射または受信信号に対するノイズを小さくできるトランシーバを提供する。【解決手段】トランシーバ１では、グラウンド電極Ｇは、送信電極Ｓに沿わせて配置されているので、トランシーバ１の送信電極Ｓからグラウンド電極Ｇに戻る電界の範囲は狭く、すなわち、空間への電界の放射が少ない。よって、空間を伝わって、情報が送信されてしまう可能性を低減することができる。【選択図】図１
2010062850.tif 000002
【特許請求の範囲】
【請求項１】
電界伝達媒体に電界を誘起させて信号を送信するトランシーバにおいて、
電界伝達媒体を介して他のトランシーバに送信すべき信号を回路グラウンドを基準にして生成する送信回路と、
前記送信回路の出力端子に接続された送信電極と、
前記送信電極に沿わされ、前記回路グラウンドに接続されたグラウンド電極と
を備えることを特徴とするトランシーバ。
【請求項２】
前記トランシーバは、
相対的な位置を変化させることが可能な第１および第２の筐体を備え、
前記送信電極は、前記第１および第２の筐体にそれぞれ設けられた第１および第２の送信電極を有し、
前記グラウンド電極は、前記第１および第２の筐体にそれぞれ設けられた第１および第２のグラウンド電極を有し、
前記第１のグラウンド電極が前記第１の送信電極に沿わされ、
前記第２のグラウンド電極が前記第２の送信電極に沿わされている
ことを特徴とする請求項１記載のトランシーバ。
【請求項３】
前記第１および第２の筐体は、互いに重なり合っている第１の状態と重なり合っていない第２の状態を２者択一可能に構成されており、前記第１の状態において、前記第１および第２の送信電極の間に前記第１および第２のグラウンド電極が位置する
ことを特徴とする請求項２記載のトランシーバ。
【請求項４】
電界伝達媒体に電界を誘起させて信号を送受信するトランシーバにおいて、
電界伝達媒体を介して他のトランシーバに送信すべき信号を回路グラウンドを基準にして生成する送信回路と、
他のトランシーバから電界伝達媒体を介して送信された信号を前記回路グラウンドを基準にして受信する受信回路と、
前記送信回路の出力端子と前記受信回路の入力端子とに接続された送受信共通電極と、
前記送受信共通電極に沿わされ、前記回路グラウンドに接続されたグラウンド電極と  を備えることを特徴とするトランシーバ。
【請求項５】
前記トランシーバは、
相対的な位置を変化させることが可能な第１および第２の筐体を備え、
前記送受信共通電極は、前記第１および第２の筐体にそれぞれ設けられた第１および第２の送受信共通電極を有し、
前記グラウンド電極は、前記第１および第２の筐体にそれぞれ設けられた第１および第２のグラウンド電極を有し、
前記第１のグラウンド電極が前記第１の送受信共通電極に沿わされ、
前記第２のグラウンド電極が前記第２の送受信共通電極に沿わされている
ことを特徴とする請求項４記載のトランシーバ。
【請求項６】
前記第１および第２の筐体は、互いに重なり合っている第１の状態と重なり合っていない第２の状態を２者択一可能に構成されており、前記第１の状態において、、前記第１および第２の送受信共通電極の間に前記第１および第２のグラウンド電極が位置する
ことを特徴とする請求項４記載のトランシーバ。
【請求項７】
電界伝達媒体に電界を誘起させて信号を送受信するトランシーバにおいて、
電界伝達媒体を介して他のトランシーバに送信すべき信号を回路グラウンドを基準にして生成する送信回路と、
他のトランシーバから電界伝達媒体を介して送信された信号を前記回路グラウンドでない回路節点を基準にして受信する受信回路と、
前記送信回路の出力端子と前記受信回路の入力端子とに接続された送受信共通電極と、
前記送受信共通電極に沿わされ、前記回路節点に接続された受信用基準電極と、
前記送受信共通電極に沿わされ、前記受信用基準電極に離間して配置され、前記回路グラウンドに接続されたグラウンド電極と
を備えることを特徴とするトランシーバ。
【請求項８】
前記トランシーバは、
相対的な位置を変化させることが可能な第１および第２の筐体を備え、
前記送受信共通電極は、前記第１および第２の筐体にそれぞれ設けられた第１および第２の送受信共通電極を有し、
前記グラウンド電極は、前記第１の筐体に設けられ、前記第１の送受信共通電極に沿わされ、
前記受信用基準電極は、前記第２の筐体に設けられ、前記第２の送受信共通電極に沿わされている
ことを特徴とする請求項７記載のトランシーバ。
【請求項９】
前記第１および第２の筐体は、互いに重なり合っている第１の状態と重なり合っていない第２の状態を２者択一可能に構成されており、前記第１の状態において、前記第１および第２の送受信共通電極の間に前記グラウンド電極および前記受信用基準電極が位置する
ことを特徴とする請求項８記載のトランシーバ。
【請求項１０】
前記トランシーバは、
相対的な位置を変化させることが可能な第１および第２の筐体を備え、
前記送受信共通電極は、前記第１および第２の筐体にそれぞれ設けられた第１および第２の送受信共通電極を有し、
前記グラウンド電極は、前記第１および第２の筐体にそれぞれ設けられた第１および第２のグラウンド電極を有し、
前記受信用基準電極は、前記第１および第２の筐体にそれぞれ設けられた第１および第２の受信用基準電極を有し、
前記第１のグラウンド電極が前記第１の送受信共通電極に沿わされ、
前記第２のグラウンド電極が前記第２の送受信共通電極に沿わされ、
前記第１の受信用基準電極が前記第１の送受信共通電極に沿わされ、
前記第２の受信用基準電極が前記第２の送受信共通電極に沿わされている
ことを特徴とする請求項７記載のトランシーバ。
【請求項１１】
前記第１および第２の筐体は、互いに重なり合っている第１の状態と重なり合っていない第２の状態を２者択一可能に構成されており、前記第１の状態において、前記第１の受信用基準電極が前記第２の受信用基準電極に沿わされ、且つ、前記第１のグラウンド電極が前記第２のグラウンド電極に沿わされ、且つ、前記第１および第２のグラウンド電極が前記第１および第２の受信用基準電極のいずれに対しても離間する
ことを特徴とする請求項１０記載のトランシーバ。
【請求項１２】
前記第１および第２の筐体は、互いに重なり合っている第１の状態と重なり合っていない第２の状態を２者択一可能に構成されており、前記第１の状態において、前記第１および第２の送受信共通電極の間に前記第１および第２のグラウンド電極ならびに前記第１および第２の受信用基準電極が位置する
ことを特徴とする請求項１０または１１記載のトランシーバ。
【請求項１３】
前記受信回路は、
他のトランシーバから電界伝達媒体を介して送信された信号を光により検出する光センサ
を備えることを特徴とする請求項４ないし１２のいずれかに記載のトランシーバ。
【請求項１４】
前記受信回路は、
他のトランシーバから電界伝達媒体を介して送信された信号が印加される前記受信用基準電極と前記回路節点との間の電位差を増幅する差動アンプ
を備えることを特徴とする請求項７ないし１２のいずれかに記載のトランシーバ。
【発明の詳細な説明】
【技術分野】
【０００１】
本発明は、電界伝達媒体に電界を誘起させて信号を送受信するトランシーバに関するものである。
【背景技術】
【０００２】
近年においては、人体などの電界伝達媒体に電界を誘起させる通信システムに関する研究がなされている（非特許文献１参照）。
【０００３】
図１５は、従来の通信システムのトランシーバ１０から情報を送信する場合の一態様を示す図である。トランシーバ１０は、トランシーバ２０に送信すべき情報に応じた電圧を送受信に共通な送受信共通電極Ｓ＋と、この送受信共通電極Ｓ＋に離間して配置されたグラウンド電極Ｇの間に印加する。ユーザは、送受信共通電極Ｓ＋に触れており、これにより、送受信共通電極Ｓ＋、ユーザの人体（以下、ユーザＵという）、トランシーバ２０の送受信共通電極Ｓ＋、グラウンド電極Ｇ、大地を通って、トランシーバ１０のグラウンド電極Ｇに戻る電界の経路が形成される。トランシーバ２０は、送受信共通電極Ｓ＋からグラウンド電極Ｇに向かう電界により生じる当該電極間の電位差つまり受信信号により情報を検出する。
【０００４】
図１６は、従来の通信システムのトランシーバ１０で情報を受信する場合の一態様を示す図である。トランシーバ２０は、図１５のトランシーバ１０と同様に情報を送信し、トランシーバ１０は、図１５のトランシーバ２０と同様に情報を受信する。
【非特許文献１】"RedTacton"、［ｏｎｌｉｎｅ］、日本電信電話株式会社、［平成２０年６月８日検索］、インターネット〈ＵＲＬ：http://www.redtacton.com/〉
【発明の開示】
【発明が解決しようとする課題】
【０００５】
図１５においては、上記の電界とは別に、トランシーバ１０の送受信共通電極Ｓ＋からグラウンド電極Ｇに戻る電界がある。上記のように、グラウンド電極Ｇは送受信共通電極Ｓ＋に離間して配置されているので、この電界の範囲は広く、すなわち、空間への電界の放射が多い。このため、空間を伝わって、情報が送信されてしまう可能性が高い。また、かかる電極間の電界は、周囲の機器を誤動作させる可能性がある。
【０００６】
図１６においては、上記のように、グラウンド電極Ｇは送受信共通電極Ｓ＋に離間して配置されているので、送受信共通電極Ｓ＋とグラウンド電極Ｇの間の電位差である受信信号は比較的大きい。しかし、送受信共通電極Ｓ＋とグラウンド電極Ｇが高効率の受信アンテナとして機能してしまうため周囲の電磁界ノイズが受信器に混入し易く、トランシーバ１０における受信信号に対するノイズが大きくなり、情報を受信できない可能性がある。
【０００７】
本発明は、上記の課題に鑑みてなされたものであり、その目的とするところは、空間への電界の放射または受信信号に対するノイズを小さくできるトランシーバを提供することにある。
【課題を解決するための手段】
【０００８】
上記の課題を解決するために、請求項１の本発明は、電界伝達媒体に電界を誘起させて信号を送信するトランシーバにおいて、電界伝達媒体を介して他のトランシーバに送信すべき信号を回路グラウンドを基準にして生成する送信回路と、前記送信回路の出力端子に接続された送信電極と、前記送信電極に沿わされ、前記回路グラウンドに接続されたグラウンド電極とを備えることを特徴とするトランシーバをもって解決手段とする。
【０００９】
請求項２の本発明は、前記トランシーバは、相対的な位置を変化させることが可能な第１および第２の筐体を備え、前記送信電極は、前記第１および第２の筐体にそれぞれ設けられた第１および第２の送信電極を有し、前記グラウンド電極は、前記第１および第２の筐体にそれぞれ設けられた第１および第２のグラウンド電極を有し、前記第１のグラウンド電極が前記第１の送信電極に沿わされ、前記第２のグラウンド電極が前記第２の送信電極に沿わされていることを特徴とする請求項１記載のトランシーバをもって解決手段とする。
【００１０】
請求項３の本発明は、前記第１および第２の筐体は、互いに重なり合っている第１の状態と重なり合っていない第２の状態を２者択一可能に構成されており、前記第１の状態において、前記第１および第２の送信電極の間に前記第１および第２のグラウンド電極が位置することを特徴とする請求項２記載のトランシーバをもって解決手段とする。
【００１１】
請求項４の本発明は、電界伝達媒体に電界を誘起させて信号を送受信するトランシーバにおいて、電界伝達媒体を介して他のトランシーバに送信すべき信号を回路グラウンドを基準にして生成する送信回路と、他のトランシーバから電界伝達媒体を介して送信された信号を前記回路グラウンドを基準にして受信する受信回路と、前記送信回路の出力端子と前記受信回路の入力端子とに接続された送受信共通電極と、前記送受信共通電極に沿わされ、前記回路グラウンドに接続されたグラウンド電極とを備えることを特徴とするトランシーバをもって解決手段とする。
【００１２】
請求項５の本発明は、前記トランシーバは、相対的な位置を変化させることが可能な第１および第２の筐体を備え、前記送受信共通電極は、前記第１および第２の筐体にそれぞれ設けられた第１および第２の送受信共通電極を有し、前記グラウンド電極は、前記第１および第２の筐体にそれぞれ設けられた第１および第２のグラウンド電極を有し、前記第１のグラウンド電極が前記第１の送受信共通電極に沿わされ、前記第２のグラウンド電極が前記第２の送受信共通電極に沿わされていることを特徴とする請求項４記載のトランシーバをもって解決手段とする。
【００１３】
請求項６の本発明は、前記第１および第２の筐体は、互いに重なり合っている第１の状態と重なり合っていない第２の状態を２者択一可能に構成されており、前記第１の状態において、、前記第１および第２の送受信共通電極の間に前記第１および第２のグラウンド電極が位置することを特徴とする請求項４記載のトランシーバをもって解決手段とする。
【００１４】
請求項７の本発明は、電界伝達媒体に電界を誘起させて信号を送受信するトランシーバにおいて、電界伝達媒体を介して他のトランシーバに送信すべき信号を回路グラウンドを基準にして生成する送信回路と、他のトランシーバから電界伝達媒体を介して送信された信号を前記回路グラウンドでない回路節点を基準にして受信する受信回路と、前記送信回路の出力端子と前記受信回路の入力端子とに接続された送受信共通電極と、前記送受信共通電極に沿わされ、前記回路節点に接続された受信用基準電極と、前記送受信共通電極に沿わされ、前記受信用基準電極に離間して配置され、前記回路グラウンドに接続されたグラウンド電極とを備えることを特徴とするトランシーバをもって解決手段とする。
【００１５】
請求項８の本発明は、前記トランシーバは、相対的な位置を変化させることが可能な第１および第２の筐体を備え、前記送受信共通電極は、前記第１および第２の筐体にそれぞれ設けられた第１および第２の送受信共通電極を有し、前記グラウンド電極は、前記第１の筐体に設けられ、前記第１の送受信共通電極に沿わされ、前記受信用基準電極は、前記第２の筐体に設けられ、前記第２の送受信共通電極に沿わされていることを特徴とする請求項７記載のトランシーバをもって解決手段とする。
【００１６】
請求項９の本発明は、前記第１および第２の筐体は、互いに重なり合っている第１の状態と重なり合っていない第２の状態を２者択一可能に構成されており、前記第１の状態において、前記第１および第２の送受信共通電極の間に前記グラウンド電極および前記受信用基準電極が位置することを特徴とする請求項８記載のトランシーバをもって解決手段とする。
【００１７】
請求項１０の本発明は、前記トランシーバは、相対的な位置を変化させることが可能な第１および第２の筐体を備え、前記送受信共通電極は、前記第１および第２の筐体にそれぞれ設けられた第１および第２の送受信共通電極を有し、前記グラウンド電極は、前記第１および第２の筐体にそれぞれ設けられた第１および第２のグラウンド電極を有し、前記受信用基準電極は、前記第１および第２の筐体にそれぞれ設けられた第１および第２の受信用基準電極を有し、前記第１のグラウンド電極が前記第１の送受信共通電極に沿わされ、前記第２のグラウンド電極が前記第２の送受信共通電極に沿わされ、前記第１の受信用基準電極が前記第１の送受信共通電極に沿わされ、前記第２の受信用基準電極が前記第２の送受信共通電極に沿わされていることを特徴とする請求項７記載のトランシーバをもって解決手段とする。
【００１８】
請求項１１の本発明は、前記第１および第２の筐体は、互いに重なり合っている第１の状態と重なり合っていない第２の状態を２者択一可能に構成されており、前記第１の状態において、前記第１の受信用基準電極が前記第２の受信用基準電極に沿わされ、且つ、前記第１のグラウンド電極が前記第２のグラウンド電極に沿わされ、且つ、前記第１および第２のグラウンド電極が前記第１および第２の受信用基準電極のいずれに対しても離間することを特徴とする請求項１０記載のトランシーバをもって解決手段とする。
【００１９】
請求項１２の本発明は、前記第１および第２の筐体は、互いに重なり合っている第１の状態と重なり合っていない第２の状態を２者択一可能に構成されており、前記第１の状態において、前記第１および第２の送受信共通電極の間に前記第１および第２のグラウンド電極ならびに前記第１および第２の受信用基準電極が位置することを特徴とする請求項１０または１１記載のトランシーバをもって解決手段とする。
【００２０】
請求項１３の本発明は、前記受信回路は、他のトランシーバから電界伝達媒体を介して送信された信号を光により検出する光センサを備えることを特徴とする請求項４ないし１２のいずれかに記載のトランシーバをもって解決手段とする。
【００２１】
請求項１４の本発明は、前記受信回路は、他のトランシーバから電界伝達媒体を介して送信された信号が印加される前記受信用基準電極と前記回路節点との間の電位差を増幅する差動アンプを備えることを特徴とする請求項７ないし１２のいずれかに記載のトランシーバをもって解決手段とする。
【発明の効果】
【００２２】
本発明のトランシーバによれば、空間への電界の放射または受信信号に対するノイズを小さくすることができる。
【発明を実施するための最良の形態】
【００２３】
以下、本発明の実施の形態を図面を参照して説明する。
【００２４】
［第１の実施の形態］
図１は、第１の実施の形態に係るトランシーバを利用した通信システムの構成図である。
【００２５】
本システムは、電界を伝達する媒体（電界伝達媒体）に電界を誘起させて信号を送受信するものであり、図１において、Ｕはその電界伝達媒体であるユーザの人体（以下、ユーザＵという）、１はユーザＵに電界を誘起させて信号を送信するトランシーバ、２は信号を受信するトランシーバである。
【００２６】
トランシーバ１は、単一の筐体を備え、例えば、携帯通信端末の機能などを有する。同図は、トランシーバ１がユーザの手の上に置かれた様子を示している。送信電極Ｓおよびグラウンド電極Ｇを備え、グラウンド電極Ｇは、送信電極Ｓに沿わせて配置されている。送信電極Ｓは、例えば、トランシーバ１の一側面に設けられる。送信電極Ｓおよびグラウンド電極Ｇは、リード線などで内部の回路に接続される。
【００２７】
トランシーバ２は、受信電極Ｓｒおよびグラウンド電極Ｇを備える。受信電極Ｓｒは、例えば、壁に設けられる。受信電極Ｓｒおよびグラウンド電極Ｇは、リード線などで内部の回路に接続される。
【００２８】
図２、図３は、トランシーバ１と電極に関する別の構成例を示す図である。
【００２９】
トランシーバ１は、相対的な位置を変化させることが可能な第１および第２の筐体Ｆ１、Ｆ２を備える。各図は、トランシーバ１がユーザの手の上に置かれた様子を示している。第１および第２の筐体は、図２に示すような互いに重なり合っている第１の状態と、図３に示すような互いに重なり合っていない第２の状態を２者択一可能に構成されている。
【００３０】
送信電極Ｓは、第１および第２の筐体にそれぞれ設けられた第１および第２の送信電極Ｓ１、Ｓ２を有し、これらは互いにリード線などで接続されている。グラウンド電極Ｇは、第１および第２の筐体にそれぞれ設けられた第１および第２のグラウンド電極Ｇ１、Ｇ２を有し、これらは互いにリード線などで接続されている。また、第１のグラウンド電極Ｇ１が第１の送信電極Ｓ１に沿わされ、第２のグラウンド電極Ｇ２が第２の送信電極Ｓ２に沿わされている。
【００３１】
また、図２に示す第１の状態において、第１および第２の送信電極Ｓ１、Ｓ２の間に第１および第２のグラウンド電極Ｇ１、Ｇ２が位置するようになっている。
【００３２】
図４（ａ）は、トランシーバ１の回路に関する一構成例を示す図である。
【００３３】
トランシーバ１は、送信回路を構成する発振器ＯＳＣを備える。発振器ＯＳＣは、トランシーバ２に送信すべき信号を回路グラウンドＣＧを基準にして生成する。グラウンド電極Ｇは、回路グラウンドＣＧに接続され、送信電極Ｓは、発振器ＯＳＣの出力端子に接続されている。
【００３４】
図４（ｂ）は、トランシーバ２の回路に関する一構成例を示す図である。
【００３５】
トランシーバ２は、受信回路を構成する増幅器ＡＭＰを備える。増幅器ＡＭＰは、トランシーバ１から送信された信号を回路グラウンドＣＧを基準にして受信する。グラウンド電極Ｇは、回路グラウンドＣＧに接続され、受信電極Ｓｒは、増幅器ＡＭＰの入力端子に接続されている。
【００３６】
（第１の実施の形態の動作）
次に、第１の実施の形態の動作の一例として、まず、トランシーバ１からトランシーバ２に情報Ａを送信する動作を説明する。情報Ａは、例えば、ユーザの識別情報などである。
【００３７】
図４（ａ）において、トランシーバ１では、発振器ＯＳＣが情報Ａに応じたデジタル信号を生成し、生成された信号を送信電極Ｓに印加する。
【００３８】
図１、図２、図３において、送信電極Ｓにより、ユーザＵに情報Ａに応じた電界が誘起される。これにより、情報Ａに応じた信号がトランシーバ２に印加される。
【００３９】
図４（ｂ）において、トランシーバ２では、増幅器ＡＭＰが、受信電極Ｓｒを介して到来した信号を増幅し、こうして情報Ａを得る。
【００４０】
トランシーバ１では、こうして、グラウンド電極Ｇおよび送信電極Ｓにより信号を送信するが、グラウンド電極Ｇは、送信電極Ｓに沿わせて配置されているので、トランシーバ１の送信電極Ｓからグラウンド電極Ｇに戻る電界の範囲は狭く、すなわち、空間への電界の放射が少ない。よって、空間を伝わって、情報が送信されてしまう可能性を低減することができる。また、空間への電界の放射が少ないので、周囲の機器が誤動作する可能性を低減することができる。
【００４１】
また、特に、図２、図３に示した構成によれば、かかる効果が、第１および第２の筐体Ｆ１、Ｆ２の相対的な位置によらず得られる。
【００４２】
また、特に、図２に示す第１の状態において、第１および第２の送信電極Ｓ１、Ｓ２の間に第１および第２のグラウンド電極Ｇ１、Ｇ２が位置するようにしたことで、送信電極Ｓがユーザに沿うこととなり、送信電極ＳからユーザＵに向かう電界の範囲を狭くでき、上記の効果をさらに増大させることができる。
【００４３】
［第２の実施の形態］
図５は、第２の実施の形態に係るトランシーバを利用した通信システムの構成図である。
【００４４】
本システムは、第１の実施の形態と同様にユーザＵを誘起させて信号を送受信するものであり、１Ａ、２Ａは信号を互いに送受信するトランシーバである。
【００４５】
トランシーバ１Ａは、送受信共通電極Ｓ＋およびグラウンド電極Ｇを備え、グラウンド電極Ｇは、送受信共通電極Ｓ＋に沿わせて配置されている。送受信共通電極Ｓ＋は、例えば、トランシーバ１Ａの一側面に設けられる。送受信共通電極Ｓ＋およびグラウンド電極Ｇは、リード線などで内部の回路に接続される。
【００４６】
トランシーバ２Ａは、送受信共通電極Ｓ＋およびグラウンド電極Ｇを備え、グラウンド電極Ｇは、送受信共通電極Ｓ＋に沿わせて配置されている。送受信共通電極Ｓ＋は、例えば、壁に設けられる。送受信共通電極Ｓ＋およびグラウンド電極Ｇは、リード線などで内部の回路信号線に接続される。
【００４７】
図６、図７は、トランシーバ１Ａと電極に関する別の構成例を示す図である。
【００４８】
トランシーバ１Ａは、相対的な位置を変化させることが可能な第１および第２の筐体Ｆ１、Ｆ２を備える。第１および第２の筐体は、図６に示すような互いに重なり合っている第１の状態と、図７に示すような互いに重なり合っていない第２の状態を２者択一可能に構成されている。
【００４９】
送受信共通電極Ｓ＋は、第１および第２の筐体にそれぞれ設けられた第１および第２の送受信共通電極Ｓ＋１、Ｓ＋２を有し、これらは互いにリード線などで接続されている。グラウンド電極Ｇは、第１および第２の筐体にそれぞれ設けられた第１および第２のグラウンド電極Ｇ１、Ｇ２を有し、これらは互いにリード線などで接続されている。また、第１のグラウンド電極Ｇ１が第１の送受信共通電極Ｓ＋１に沿わされ、第２のグラウンド電極Ｇ２が第２の送受信共通電極Ｓ＋２に沿わされている。
【００５０】
また、図６に示す第１の状態において、第１および第２の送受信共通電極Ｓ＋１、Ｓ＋２の間に第１および第２のグラウンド電極Ｇ１、Ｇ２が位置するようになっている。
【００５１】
図８（ａ）は、トランシーバ１Ａの回路に関する一構成例を示す図である。トランシーバ２Ａの回路も例えば同様に構成される。
【００５２】
トランシーバ１Ａは、送信回路を構成する発振器ＯＳＣと、受信回路を構成する増幅器ＡＭＰとを備える。発振器ＯＳＣは、トランシーバ２Ａに送信すべき信号を回路グラウンドＣＧを基準にして生成する。増幅器ＡＭＰは、トランシーバ２Ａから送信された信号を回路グラウンドＣＧを基準にして受信する。グラウンド電極Ｇは、回路グラウンドＣＧに接続され、送受信共通電極Ｓ＋は、発振器ＯＳＣの出力端子と増幅器ＡＭＰの入力端子に接続されている。
【００５３】
図８（ｂ）は、トランシーバ１Ａの回路に関する別の一構成例を示すブロック図である。トランシーバ２Ａの回路も例えば同様に構成される。
【００５４】
トランシーバ１Ａは、送信回路を構成する発振器ＯＳＣと、受信回路を構成する光センサＯＰＴを備える。発振器ＯＳＣは、トランシーバ２Ａに送信すべき信号を回路グラウンドＣＧを基準にして生成する。光センサＯＰＴは、トランシーバ２Ａから送信された信号を回路グラウンドＣＧを基準にして受信する。グラウンド電極Ｇは、回路グラウンドＣＧに接続され、送受信共通電極Ｓ＋は、発振器ＯＳＣの出力端子と光センサＯＰＴの入力端子に接続されている。
【００５５】
光センサＯＰＴは、送信された信号を光により検出するものである。光センサＯＰＴは、レーザ光ＢＭを出射する光源１１、送受信共通電極Ｓ＋に接続された電極１２、回路グラウンドＣＧに接続された電極１３、電極１２および１３の間に挟持された電気光学結晶１４、光源１１を出射後、電気光学結晶１４を通過したレーザ光ＢＭを電気信号に変換する光電変換回路１５を備える。光電変換回路１５は、波長板ＷＰ、フォトディテクタＰＤなどにより構成される。
【００５６】
（第２の実施の形態の動作）
次に、第２の実施の形態の動作の一例として、まず、トランシーバ１Ａからトランシーバ２Ａに情報Ａを送信する動作を説明する。情報Ａは、例えば、ユーザの識別情報などである。
【００５７】
図８（ａ）、（ｂ）において、トランシーバ１Ａでは、発振器ＯＳＣが情報Ａに応じたデジタル信号を生成し、生成された信号を送受信共通電極Ｓ＋に印加する。
【００５８】
図５、図６、図７において、送受信共通電極Ｓ＋により、ユーザＵに情報Ａに応じた電界が誘起される。これにより、情報Ａに応じた信号がトランシーバ２Ａに印加される。
【００５９】
図８（ａ）において、トランシーバ２Ａでは、増幅器ＡＭＰが、送受信共通電極Ｓ＋を介して到来した信号を増幅し、こうして情報Ａを得る。
【００６０】
または、図８（ｂ）において、トランシーバ２Ａでは、光センサＯＰＴが、送受信共通電極Ｓ＋を介して到来した信号を光により検出し、こうして情報Ａを得る。詳しくは、以下の通りである。信号は電極１２に印加され、電気光学結晶１４内に電界が誘起され、その複屈折率が変化する。これにより、電気光学結晶１４を通過したレーザ光ＢＭは、信号による偏光変調光となり、更に波長板ＷＰにより強度変調光に変換される。光電変換回路１５は、強度変調光を電気信号に変換し、強度を電気的に検出する。こうして、情報Ａが得られる。
【００６１】
次に、トランシーバ２Ａからトランシーバ１Ａに情報Ｂを送信する動作を説明する。情報Ｂは、例えば、ユーザの識別情報を受信したことを通知するためのものある。
【００６２】
図８（ａ）、（ｂ）において、トランシーバ２Ａでは、発振器ＯＳＣが情報Ｂに応じたデジタル信号を生成し、生成された信号を送受信共通電極Ｓ＋に印加する。
【００６３】
図５、図６、図７において、送受信共通電極Ｓ＋により、ユーザＵに情報Ｂに応じた電界が誘起される。これにより、情報Ｂに応じた信号がトランシーバ１Ａに印加される。
【００６４】
図８（ａ）において、トランシーバ１Ａでは、増幅器ＡＭＰが、送受信共通電極Ｓ＋を介して到来した信号を増幅し、こうして情報Ｂを得る。
【００６５】
または、図８（ｂ）において、トランシーバ１Ａでは、光センサＯＰＴが、送受信共通電極Ｓ＋を介して到来した信号を光により検出し、こうして情報Ｂを得る。詳しくは、情報Ａを得た場合と同様である。
【００６６】
トランシーバ１Ａでは、こうして、グラウンド電極Ｇおよび送受信共通電極Ｓ＋により信号を送信するが、グラウンド電極Ｇは、送受信共通電極Ｓ＋に沿わせて配置されているので、トランシーバ１Ａの送受信共通電極Ｓ＋からグラウンド電極Ｇに戻る電界の範囲は狭く、すなわち、空間への電界の放射が少ない。よって、空間を伝わって、情報が送信されてしまう可能性を低減することができる。また、空間への電界の放射が少ないので、周囲の機器が誤動作する可能性を低減することができる。
【００６７】
また、特に、図６、図７に示した構成によれば、かかる効果が、第１および第２の筐体の相対的な位置によらず得られる。
【００６８】
また、特に、図６に示す第１の状態において、第１および第２の送受信共通電極Ｓ＋１、Ｓ＋２の間に第１および第２のグラウンド電極Ｇ１、Ｇ２が位置するようにしたことで、送受信共通電極Ｓ＋（第１および第２の送受信共通電極Ｓ＋１、Ｓ＋２）がユーザに沿うこととなり、送受信共通電極Ｓ＋からユーザＵに向かう電界の範囲を狭くでき、上記の効果をさらに増大させることができる。
【００６９】
また、トランシーバ１Ａでは、その動作において、グラウンド電極Ｇおよび送受信共通電極Ｓ＋により信号を受信するが、グラウンド電極Ｇは、送受信共通電極Ｓ＋に沿わされているので、送受信共通電極Ｓ＋とグラウンド電極Ｇで構成される受信アンテナとしての機能が低減され、周囲環境から混入する電磁界ノイズを小さくすることができる。その結果、情報を受信できない不都合を防止することができる。
【００７０】
また、特に、図６、図７に示した構成によれば、かかる効果が、第１および第２の筐体の相対的な位置によらず得られる。
【００７１】
また、特に、図６に示す第１の状態において、第１および第２の送受信共通電極Ｓ＋１、Ｓ＋２の間に第１および第２のグラウンド電極Ｇ１、Ｇ２が位置するようにしたことで、送受信共通電極Ｓ＋（第１および第２の送受信共通電極Ｓ＋１、Ｓ＋２）がユーザに沿うこととなり、ユーザＵから送受信共通電極Ｓ＋に向かう電界の範囲を狭くでき、上記の効果をさらに増大させることができる。
【００７２】
また、ノイズを小さくできるので、受信信号が小さい場合であっても、良好なＳＮ比を得ることができる。
【００７３】
［第３の実施の形態］
図９は、第３の実施の形態に係るトランシーバを利用した通信システムの構成図である。
【００７４】
本システムは、第１、第２の実施の形態と同様にユーザＵを誘起させて信号を送受信するものであり、１Ｂ、２Ａは信号を互いに送受信するトランシーバである。トランシーバ２Ａは、第２の実施の形態で用いたものであるが、トランシーバ１Ｂと同様なものでもよい。
【００７５】
トランシーバ１Ｂは、受信用基準電極Ｓ−、送受信共通電極Ｓ＋およびグラウンド電極Ｇを備え、受信用基準電極Ｓ−、グラウンド電極Ｇは、それぞれ送受信共通電極Ｓ＋に沿わせて配置されている。送受信共通電極Ｓ＋は、例えば、トランシーバ１Ａの一側面に設けられる。受信用基準電極Ｓ−、送受信共通電極Ｓ＋およびグラウンド電極Ｇは、リード線などで内部の回路に接続される。
【００７６】
図１０、図１１は、トランシーバ１Ｂと電極に関する別の構成例を示すブロック図である。
【００７７】
トランシーバ１Ｂは、相対的な位置を変化させることが可能な第１および第２の筐体Ｆ１、Ｆ２を備える。第１および第２の筐体は、図１０に示すような互いに重なり合っている第１の状態と、図１１に示すような互いに重なり合っていない第２の状態を２者択一可能に構成されている。
【００７８】
送受信共通電極Ｓ＋は、第１および第２の筐体にそれぞれ設けられた第１および第２の送受信共通電極Ｓ＋１、Ｓ＋２を有し、これらは互いにリード線などで接続されている。グラウンド電極Ｇは、第１の筐体Ｆ１に設けられ、受信用基準電極Ｓ−は、第２のグラウンド電極Ｇ２が第２の送受信共通電極Ｓ＋２に沿わされている。また、グラウンド電極Ｇが第１の送受信共通電極Ｓ＋１に沿わされ、受信用基準電極Ｓ−が第２の送受信共通電極Ｓ＋２に沿わされている。
【００７９】
また、図１０に示す第１の状態において、第１および第２の送受信共通電極Ｓ＋１、Ｓ＋２の間にグラウンド電極Ｇおよび受信用基準電極Ｓ−が位置するようになっている。
【００８０】
図１２、図１３は、トランシーバ１Ｂと電極に関する別の構成例を示すブロック図である。
【００８１】
トランシーバ１Ｂは、図１０、図１１に示したものと同様に、第１および第２の筐体Ｆ１、Ｆ２を備える。第１および第２の筐体は、図１２に示すような互いに重なり合っている第１の状態と、図１３に示すような互いに重なり合っていない第２の状態を２者択一可能に構成されている。
【００８２】
送受信共通電極Ｓ＋は、第１および第２の筐体にそれぞれ設けられた第１および第２の送受信共通電極Ｓ＋１、Ｓ＋２を有し、これらは互いにリード線などで接続されている。  グラウンド電極Ｇは、第１および第２の筐体にそれぞれ設けられた第１および第２のグラウンド電極Ｇ１、Ｇ２を有し、これらは互いにリード線などで接続されている。
【００８３】
受信用基準電極Ｓ−は、第１および第２の筐体にそれぞれ設けられた第１および第２の受信用基準電極Ｓ−１、Ｓ−２を有し、これらは互いにリード線などで接続されている。
【００８４】
また、第１のグラウンド電極Ｇ１が第１の送受信共通電極Ｓ＋１に沿わされ、第２のグラウンド電極Ｇ２が第２の送受信共通電極Ｓ＋２に沿わされている。また、第１の受信用基準電極Ｓ−１が第１の送受信共通電極Ｓ＋１に沿わされ、第２の受信用基準電極Ｓ−２が第２の送受信共通電極Ｓ＋２に沿わされている。
【００８５】
また、図１２に示す第１の状態において、第１の受信用基準電極Ｓ−１が第２の受信用基準電極Ｓ−２に沿わされ、且つ、第１のグラウンド電極Ｇ１が第２のグラウンド電極Ｇ２に沿わされ、且つ、第１および第２のグラウンド電極Ｇ１、Ｇ２が第１および第２の受信用基準電極Ｓ−１、Ｓ−２のいずれに対しても離間するようになっている。
【００８６】
また、図１２に示す第１の状態において、第１および第２の送受信共通電極Ｓ＋１、Ｓ＋２の間に第１および第２のグラウンド電極Ｇ１、Ｇ２ならびに第１および第２の受信用基準電極Ｓ−１、Ｓ−２が位置している。
【００８７】
図１４（ａ）は、トランシーバ１Ｂの回路に関する一構成例を示すブロック図である。  トランシーバ１Ｂは、送信回路を構成する発振器ＯＳＣと、受信回路を構成する差動増幅器ＤＡＭＰとを備える。発振器ＯＳＣは、トランシーバ２Ａに送信すべき信号を回路グラウンドＣＧを基準にして生成する。差動増幅器ＤＡＭＰは、トランシーバ２Ａから送信された信号を回路グラウンドＣＧでない回路節点ＣＡを基準にして受信する。グラウンド電極Ｇは、回路グラウンドＣＧに接続され、送受信共通電極Ｓ＋は、発振器ＯＳＣの出力端子と差動増幅器ＤＡＭＰの一方の入力端子に接続されている。受信用基準電極Ｓ−は、回路節点ＣＡに接続され、回路節点ＣＡは、差動増幅器ＤＡＭＰの他方の入力端子に接続されている。
【００８８】
図１４（ｂ）は、トランシーバ１Ｂの回路に関する別の一構成例を示すブロック図である。
【００８９】
トランシーバ１Ｂは、送信回路を構成する発振器ＯＳＣと、受信回路を構成する光センサＯＰＴを備える。発振器ＯＳＣは、トランシーバ２Ａに送信すべき信号を回路グラウンドＣＧを基準にして生成する。光センサＯＰＴは、トランシーバ２Ａから送信された信号を回路グラウンドＣＧでない回路節点ＣＡを基準にして受信する。グラウンド電極Ｇは、回路グラウンドＣＧに接続され、送受信共通電極Ｓ＋は、発振器ＯＳＣの出力端子と光センサＯＰＴの一方の入力端子に接続され、受信用基準電極Ｓ−は、回路節点ＣＡに接続され、回路節点ＣＡは、光センサＯＰＴの他方の入力端子に接続されている。
【００９０】
光センサＯＰＴは、送信された信号を光により検出するものである。光センサＯＰＴは、レーザ光ＢＭを出射する光源１１、光センサＯＰＴの一方の入力端子を介して送受信共通電極Ｓ＋などに接続された電極１２、光センサＯＰＴの他方の入力端子と回路節点ＣＡを介して受信用基準電極Ｓ−に接続された電極１３、電極１２および１３の間に挟持された電気光学結晶１４、光源１１を出射後、電気光学結晶１４を通過したレーザ光ＢＭを電気信号に変換する光電変換回路１５を備える。光電変換回路１５は、波長板ＷＰ、フォトディテクタＰＤなどにより構成される。
【００９１】
（第３の実施の形態の動作）
次に、第３の実施の形態の動作の一例として、まず、トランシーバ１Ｂからトランシーバ２Ａに情報Ａを送信する動作を説明する。情報Ａは、例えば、ユーザの識別情報などである。
【００９２】
図１４（ａ）において、トランシーバ１Ｂでは、発振器ＯＳＣが情報Ａに応じたデジタル信号を生成し、生成された信号を送受信共通電極Ｓ＋に印加する。
【００９３】
図９、図１０、図１１、図１２、図１３において、送受信共通電極Ｓ＋により、ユーザＵに情報Ａに応じた電界が誘起される。これにより、情報Ａに応じた信号がトランシーバ２Ａに印加される。
【００９４】
トランシーバ２Ａでは、増幅器ＡＭＰが、送受信共通電極Ｓ＋を介して到来した信号を増幅し、こうして情報Ａを得る。
【００９５】
次に、トランシーバ２Ａからトランシーバ１Ｂに情報Ｂを送信する動作を説明する。情報Ｂは、例えば、ユーザの識別情報を受信したことを通知するためのものある。
【００９６】
トランシーバ２Ａでは、発振器ＯＳＣが情報Ｂに応じたデジタル信号を生成し、生成された信号を送受信共通電極Ｓ＋に印加する。
【００９７】
図９、図１０、図１１、図１２、図１３において、送受信共通電極Ｓ＋により、ユーザＵに情報Ｂに応じた電界が誘起される。これにより、情報Ｂに応じた信号がトランシーバ１Ｂに印加される。
【００９８】
図１４（ａ）において、トランシーバ１Ｂでは、差動増幅器ＤＡＭＰが、送受信共通電極Ｓ＋、受信用基準電極Ｓ−を介して到来した信号つまり電極間の電位差を差動増幅し、こうして情報Ｂを得る。
【００９９】
または、図１４（ｂ）において、トランシーバ１Ｂでは、光センサＯＰＴが、送受信共通電極Ｓ＋、受信用基準電極Ｓ−を介して到来した信号つまり電極間の電位差を光により検出し、こうして情報Ｂを得る。詳しくは、以下の通りである。信号は電極１２、１３間に印加され、電気光学結晶１４内に電界が誘起され、その複屈折率が変化する。これにより、電気光学結晶１４を通過したレーザ光ＢＭは、信号による偏光変調光となり、更に波長板ＷＰにより強度変調光に変換される。光電変換回路１５は、強度変調光を電気信号に変換し、強度を電気的に検出する。こうして、情報Ｂが得られる。
【０１００】
トランシーバ１Ｂでは、上記のように、グラウンド電極Ｇおよび送受信共通電極Ｓ＋により信号を送信するが、グラウンド電極Ｇは、送受信共通電極Ｓ＋に沿わせて配置されているので、トランシーバ１Ｂの送受信共通電極Ｓ＋からグラウンド電極Ｇに戻る電界の範囲は狭く、すなわち、空間への電界の放射が少ない。よって、空間を伝わって、情報が送信されてしまう可能性を低減することができる。また、空間への電界の放射が少ないので、周囲の機器が誤動作する可能性を低減することができる。
【０１０１】
また、特に、図１０、図１１、図１２、図１３に示した構成によれば、かかる効果が、第１および第２の筐体の相対的な位置によらず得られる。
【０１０２】
また、特に、図１０に示す第１の状態において、第１および第２の送受信共通電極Ｓ＋１、Ｓ＋２の間にグラウンド電極Ｇおよび受信用基準電極Ｓ−を位置させたことで、送受信共通電極Ｓ＋（第１および第２の送受信共通電極Ｓ＋１、Ｓ＋２）がユーザに沿うこととなり、送受信共通電極Ｓ＋からユーザＵから向かう電界の範囲を狭くでき、上記の効果をさらに増大させることができる。
【０１０３】
また、特に、図１２に示す第１の状態において、第１および第２の送受信共通電極Ｓ＋１、Ｓ＋２の間に第１および第２のグラウンド電極Ｇ１、Ｇ２ならびに第１および第２の受信用基準電極Ｓ−１、Ｓ−２を位置させたことで、送受信共通電極Ｓ＋（第１および第２の送受信共通電極Ｓ＋１、Ｓ＋２）がユーザに沿うこととなり、送受信共通電極Ｓ＋からユーザＵに向かう電界の範囲を狭くでき、上記の効果をさらに増大させることができる。
【０１０４】
また、トランシーバ１Ｂでは、上記のように、受信用基準電極Ｓ−と送受信共通電極Ｓ＋により信号を受信するが、受信用基準電極Ｓ−は、送受信共通電極Ｓ＋に沿わせて配置されているので、送受信共通電極Ｓ＋とグラウンド電極Ｇで構成される受信アンテナとしての機能が低減され、周囲環境から混入する電磁界ノイズを小さくすることができる。その結果、情報を受信できない不都合を防止することができる。
【０１０５】
また、特に、図１０、図１１、図１２、図１３に示した構成によれば、かかる効果が、第１および第２の筐体の相対的な位置によらず得られる。
【０１０６】
また、特に、図１０に示す第１の状態において、第１および第２の送受信共通電極Ｓ＋１、Ｓ＋２の間にグラウンド電極Ｇおよび受信用基準電極Ｓ−を位置させたことで、送受信共通電極Ｓ＋（第１および第２の送受信共通電極Ｓ＋１、Ｓ＋２）がユーザに沿うこととなり、ユーザＵから送受信共通電極Ｓ＋に向かう電界の範囲を狭くでき、上記の効果をさらに増大させることができる。
【０１０７】
また、特に、図１２に示す第１の状態において、第１および第２の送受信共通電極Ｓ＋１、Ｓ＋２の間に第１および第２のグラウンド電極Ｇ１、Ｇ２ならびに第１および第２の受信用基準電極Ｓ−１、Ｓ−２を位置させたことで、送受信共通電極Ｓ＋（第１および第２の送受信共通電極Ｓ＋１、Ｓ＋２）がユーザに沿うこととなり、ユーザＵから送受信共通電極Ｓ＋に向かう電界の範囲を狭くでき、上記の効果をさらに増大させることができる。
【０１０８】
また、特に、図１２に示す第１の状態において、第１の受信用基準電極Ｓ−１が第２の受信用基準電極Ｓ−２に沿わされ、且つ、第１のグラウンド電極Ｇ１が第２のグラウンド電極Ｇ２に沿わされ、すなわち、同電位の電極同士が近接し、電界を好ましい状態にすることができる。
【０１０９】
また、ノイズを小さくできるので、受信信号が小さい場合であっても、良好なＳＮ比を得ることができる。
【０１１０】
以上は、本発明のトランシーバに係る一実施の形態であり、以下のような態様で実施してもよい。
【０１１１】
トランシーバは、据え置き型の装置（コンピュータ）に組み込んでもよい。
【０１１２】
また、電界伝達媒体は、人体でなく、例えば、壁、床などでもよい。
【０１１３】
また、電極が直接人体に触れないように、電極を被覆で覆ってもよい。
【図面の簡単な説明】
【０１１４】
【図１】第１の実施の形態に係るトランシーバを利用した通信システムの構成図である。
【図２】第１の実施の形態のトランシーバと電極に関する別の構成例を示す図である。
【図３】第１の実施の形態のトランシーバと電極に関する別の構成例を示す図である。
【図４】第１の実施の形態のトランシーバの回路に関する一構成例を示す図である。
【図５】第２の実施の形態に係るトランシーバを利用した通信システムの構成図である。
【図６】第２の実施の形態のトランシーバと電極に関する別の構成例を示す図である。
【図７】第２の実施の形態のトランシーバと電極に関する別の構成例を示す図である。
【図８】第２の実施の形態のトランシーバの回路に関する一構成例を示す図である。
【図９】第３の実施の形態に係るトランシーバを利用した通信システムの構成図である。
【図１０】第３の実施の形態に係るトランシーバと電極に関する別の構成例を示すブロック図である。
【図１１】第３の実施の形態に係るトランシーバと電極に関する別の構成例を示すブロック図である。
【図１２】第３の実施の形態に係るトランシーバと電極に関する別の構成例を示すブロック図である。
【図１３】第３の実施の形態に係るトランシーバと電極に関する別の構成例を示すブロック図である。
【図１４】第３の実施の形態のトランシーバの回路に関する一構成例を示す図である。
【図１５】従来の通信システムのトランシーバから情報を送信する場合の一態様を示す図である。
【図１６】従来の通信システムのトランシーバで情報を受信する場合の一態様を示す図である。
【符号の説明】
【０１１５】
１、１Ａ、１Ｂ、２、２Ａ、１０、２０…トランシーバ
１１…光源
１２，１３…電極
１４…電気光学結晶
１５…光電変換回路
ＡＭＰ…増幅器
ＢＭ…レーザ光
ＣＡ…回路節点
ＣＧ…回路グラウンド
ＤＡＭＰ…差動増幅器
Ｆ１…第１の筐体
Ｆ１…第２の筐体
Ｇ…グラウンド電極
Ｇ１…第１のグラウンド電極
Ｇ２…第２のグラウンド電極
ＯＰＴ…光センサ
Ｓ−…受信用基準電極
Ｓ−１…第１の受信用基準電極
Ｓ−２…第２の受信用基準電極
Ｓ…送信電極
Ｓ１…第１の送信電極
Ｓ２…第２の送信電極
Ｓ＋…送受信共通電極
Ｓ＋１…第１の送受信共通電極
Ｓ＋２…第２の送受信共通電極
Ｓｒ…受信電極
Ｕ…ユーザの人体
【図１】
2010062850.tif 000003
【図２】
2010062850.tif 000004
【図３】
2010062850.tif 000005
【図４】
2010062850.tif 000006
【図５】
2010062850.tif 000007
【図６】
2010062850.tif 000008
【図７】
2010062850.tif 000009
【図８】
2010062850.tif 000010
【図９】
2010062850.tif 000011
【図１０】
2010062850.tif 000012
【図１１】
2010062850.tif 000013
【図１２】
2010062850.tif 000014
【図１３】
2010062850.tif 000015
【図１４】
2010062850.tif 000016
【図１５】
2010062850.tif 000017
【図１６】
2010062850.tif 000018